(57)【特許請求の範囲】
【請求項１】
底壁と底壁の一端部に立設して設けた一端側係合部と底壁の他端部に立設して設けた他端側係合部とで構成した取付溝を有するベース材と、取付溝に取り付ける少なくとも1枚のパネルと、パネルに隣接して取付溝に取り付ける少なくとも２枚の目板と、パネルおよび目板を取付溝に固定する押縁とを備え、パネルは、一端部および他端部を取付溝の一端側係合部と他端側係合部との間から取付溝に配置自在に設けて、パネルの一端部を取付溝の一端側係合部に係止するものであり、且つ、目板側の端面に段部を有しており、目板は、一端部および他端部を取付溝の一端側係合部と他端側係合部との間から取付溝内に配置し、一端側係合部と他端側係合部とに係止自在としたものであり、且つ、パネル側の端面にパネルの段部との重合部を有しており、押縁は、パネル他端部を押えるパネル押え部および目板他端部を押える目板押え部を有し取付溝の他端側係合部に着脱自在に取り付けてあり、パネルおよび目板が一端側係合部と他端側係合部との間から離脱することを規制するとともに、パネルおよび目板が取付溝の長手方向にスライド移動することを許容し、パネルを目板の間に配置してあることを特徴とするパネル構造体。
【発明の詳細な説明】
【０００１】
【発明が属する技術分野】
本発明は、例えば太陽電池付きパネルや装飾パネルなどを取り付けた高欄、ベンチ、外壁などに使用されるパネル構造体に関するものである。
【０００２】
【従来の技術】
従来から知られている太陽電池付きパネルや装飾パネルなどを取り付けたパネル構造体として、例えば、取付溝にパネルをスライド挿入して固定する構造が一般的に用いられており、特開２０００−２２０２５８号では枠体を設けて枠体間の小口からパネルをスライド挿入し係止体に係合する構造が開示されている。
【０００３】
【発明が解決しようとする課題】
ところが、上記した従来のパネル構造体では、全てのパネルの端部に複雑形状の係止部を設ける必要があるので製作に多くの工程を要し、また、小口からスライド挿入するため、挿入溝の製作精度も高くなくてはならずコスト高となる。スライド挿入を容易にしようとすれば取り付けたパネルにがたつきが生じ易くなる。スライド挿入するために取り付けた複数のパネルの内の1枚だけを交換するにも該当以外のパネルも全て取り外す必要があるのでメンテナンス性が悪い。また、押縁が立ち上がり且つパネル上面との間に溝ができるので外観が悪いという問題があり、これらの問題を解決することが従来の課題となっていた。
【０００４】
【発明の目的】
本発明は、上記した従来の課題に着目してなされたもので、パネルの製作、取り付けが容易で安価に取り付け工事およびメンテナンスが可能であり、且つ、外観が良く、がたつきも少ないパネル構造体を提供することを目的としている。
【０００５】
【課題を解決するための手段】
本発明の請求項１に係わるパネル構造体は、底壁と底壁の一端部に立設して設けた一端側係合部と底壁の他端部に立設して設けた他端側係合部とで構成した取付溝を有するベース材と、取付溝に取り付ける少なくとも1枚のパネルと、パネルに隣接して取付溝に取り付ける少なくとも２枚の目板と、パネルおよび目板を取付溝に固定する押縁とを備え、パネルは、一端部および他端部を取付溝の一端側係合部と他端側係合部との間から取付溝に配置自在に設けて、パネルの一端部を取付溝の一端側係合部に係止するものであり、且つ、目板側の端面に段部を有しており、目板は、一端部および他端部を取付溝の一端側係合部と他端側係合部との間から取付溝内に配置し、一端側係合部と他端側係合部とに係止自在としたものであり、且つ、パネル側の端面にパネルの段部との重合部を有しており、押縁は、パネル他端部を押えるパネル押え部および目板他端部を押える目板押え部を有し取付溝の他端側係合部に着脱自在に取り付けてあり、パネルおよび目板が一端側係合部と他端側係合部との間から離脱することを規制するとともに、パネルおよび目板が取付溝の長手方向にスライド移動することを許容し、パネルを目板の間に配置した構成を前述した従来の課題を解決するための手段としている。
【０００６】
本発明に係わるパネル構造体において、目板の間に配置されるパネルには例えば太陽電池パネルやアルミ外装パネル、セラミックス製タイルパネル、各種装飾パネルなど種々のものが適用できる。本発明において取付溝の長手方向とは取付溝の一方の小口から他方の小口に向かう方向を指す。
【０００７】
【発明の作用】
本発明の請求項１に係わるパネル構造体において、パネルは、一端部および他端部を取付溝の一端側係合部と他端側係合部との間から取付溝に配置自在に設けて、パネルの一端部を取付溝の一端側係合部に係止するものであり、目板は、一端部および他端部を取付溝の一端側係合部と他端側係合部との間から取付溝内に配置し、一端側係合部と他端側係合部とに係止自在としたものであるのでパネルおよび目板の取り付けは取付溝の一端側係合部と他端側係合部との間から取付溝内の所定位置に直接配置できるので、取付溝の小口側からのスライド挿入の必要が無く、製作および取り付けが容易となるとともに安価に行なえるという大きな効果が得られる。パネルは目板側の端面に段部を有しており、目板はパネル側の端面にパネルの段部との重合部を有しているのでパネルと目板の隙間が生じない。また、押縁は、パネル他端部を押えるパネル押え部および目板他端部を押える目板押え部を有し取付溝の他端側係合部に着脱自在に取り付けてあり、パネルおよび目板の取付溝からの回転離脱を規制するとともに、パネルおよび目板の取付溝の長手方向へのスライド移動を許容してパネルを目板の間に配置してあるので、取付溝の一端側係合部と他端側係合部との間から取付溝内に配置した目板を、取付溝の一端側係合部と他端側係合部との間から取付溝内に配置したパネルの小口側から取付溝内をパネル側にスライド移動してパネルを挟持固定することにより、パネルの取付溝長手方向へのスライド移動が規制されるので目板のスライド移動のみの簡単な操作でパネルおよび目板を取り付け溝内の所定位置に固定することができ、取り付け作業性が非常に優れていると同時に、パネル交換などのメンテナンス時にも他の目板やパネルを長手方向にスライド移動後押縁を取り外し目板やパネルを取付溝内に配置したままで必要箇所のパネルのみを交換メンテナンスすることが可能となり、メンテナンス作業性も非常に優れているという絶大な効果が得られる。さらに、上記したようにパネルや目板を取付溝に自在に取付・取り外し可能であるからパネルや目板の配置位置、個数を適宜設定することが可能となり、多様なデザインの演出を可能にするとともに、例えば太陽電池付きパネルを適用する場合には目板およびパネルの取付個数を調整することによって発電能力の調整が容易に行えるという効果も得られる。
【０００８】
【発明の実施の形態】
以下、本発明を図面に基づいて説明する。
【０００９】
図３は本発明に係わるパネル構造体の第一実施形態を高欄Ｋに適用した事例の正面図および平面図を示しており、パネル３として太陽電池ユニットパネルを用いた事例である。正面図における最上部に設けてある長尺のベース材２に本発明のパネル構造体１を組み込んだものであり、平面図に本発明のパネル構造体１の全体概観が現れている。平面図におけるパネル３の内周部に破線で示したのは太陽電池ユニットを表わし、高欄Ｋの上面に取り付けてある本発明のパネル構造体１として組み込んだ太陽電池ユニットパネルによって高欄Ｋの支柱Ｐに取り付けた照明装置Ｌの夜間の照明電力がまかなわれる仕組みとした事例を示している。図７は図３の平面図に示したＡ部を拡大して本発明のパネル構造体１を構成するパネル３、目板４および押縁５をベース材２に取り付けた状態を示す部分拡大図であり、破線部は太陽電池ユニットを表わしている。図１は図７に示したＢ−Ｂ線断面の拡大図であり、目板４および押縁５をベース材の取付溝２１に固定した状態を示している。図２は同じく図７に示したＣ−Ｃ線断面の拡大図であり、パネル３および押縁５をベース材の取付溝２１に固定した状態を示している。図４〜図６はそれぞれパネル３、押縁５および目板４をベース材２の取付溝２１に取り付ける時のパネル３、押縁５および目板４の動きを破線および実線で表わしたものである。図８は図７のＤ−Ｄ線断面図であり、パネル３および目板４をベース材２の取付溝２１に取り付け固定して目板４がパネル３の移動を規制している状態を表わしている。
【００１０】
第一実施形態のパネル構造体１は、図３の平面図に示すように長尺のベース材２の長手方向に1枚のパネル３と、パネル３の長手方向にパネル３を挟持して取り付けてパネル３の長手方向への移動を規制する２枚の目板４、４と、パネル３および目板４、４を固定する押縁５とを備えた状態を基本構成とし、この基本構成をベース材２の長手方向に連続反復配置して設けてあり、１枚の目板４が連続する前後のパネル３、３の長手方向への移動を規制する働きを兼ねているものである。
【００１１】
以下に、第一実施形態のパネル構造体１の基本構成について更に詳述する。
【００１２】
図１、図２および図４〜図６に示すように、ベース材２は底壁２４と底壁２４の一端部に立設して設けた一端側係合部２２と底壁２４の他端部に立設して設けた他端側係合部２３とで構成した取付溝２１を有している。図４に示すようにパネル３は、一端部３２および他端部３３を取付溝２１の一端側係合部２２と他端側係合部２３との間から取付溝２１に配置自在に設けて、パネル３の一端部３２を取付溝２１の一端側係合部２２に係止するものであり、且つ、図８に示すようにパネル３の長手方向両端部は目板４、４側の端面に段部３４、３４を有している。目板４は、図６に示すように一端部４２および他端部４３を取付溝２１の一端側係合部２２と他端側係合部２３との間から取付溝２１内に配置し、一端側係合部２２と他端側係合部２３とに係止自在としたものであり、且つ、パネル３側の端面にパネル３の段部３４との重合部４４を有して、図８に示すように本発明のパネル構造体１を組み付けた状態ではパネル３の段部３４と目板４の重合部４４とが重合し、隙間をシール材Ｓでシールしている。押縁５は、図１、図２および図５に示すようにパネル他端部３３を押えるパネル押え部５３および目板他端部４３を押える目板押え部５３を有し、取付溝２１の他端側係合部２３に係合自在に設けた係合部５２を有して他端側係合部２３に着脱自在に取り付けてあり、目板押え部５３はパネル３の他端部３３を押えると同時に目板４の押え受け４５を押えてパネル３および目板４が一端側係合部２２と他端側係合部２３との間から離脱することを規制するとともに、パネル３および目板４が取付溝２１の長手方向にスライド移動することを許容している。
【００１３】
従って、パネル３の一端部３２を取付溝２１の長手方向の所定位置で一端側係合部２２に係合配置し、他端部３３を押縁５のパネル押え部５３で押え、パネル３の長手方向両側端において取付溝２１に２枚の目板４、４を配置し、パネル３の長手方向両端部に設けた段部３４、３４とパネル３の両側端に配置した目板４、４の重合部４４、４４とが重合するように目板４、４を取付溝２１の長手方向のパネル３側に、パネル３をはさみつけるようにスライド移動すると、目板４は押え受け４５が押縁５のパネル押え部５３によって回転移動の規制を受けると同時に、目板４の他端部４３が押縁５の目板押え部５４の回転移動を規制することとなり、同時に目板４、４が取付溝２１の長手方向にパネル３をはさみつけてパネルの長手方向への移動を規制しているので、パネル３、目板４および押縁５が取付溝２１から外れることがなくなる。
【００１４】
またパネル３を交換する場合などのメンテナンス時には、目板４の他端部４３が押縁５の回転を規制している目板押え部５４から外れるまで取付溝２１の長手方向に目板４をスライド移動すれば、目板４を取付溝２１に係合したままで押縁５を回転して取り外すことができ、次いで該当のパネル３を回転して取付溝２１から直接取り出すことが容易であり、メンテナンス作業性も非常に優れている。
【００１５】
ベース材２に上記した基本構成のパネル構造体１を必要なユニット数反復することによって本実施の形態のパネル構造体１を装備した高欄Ｋのパネル部が形成されることとなる。尚、本実施の形態においてはパネル３と次のパネル３との間に用いる目板４は１枚で両側のパネル３、３の目板４、４を兼ねており、また、ベース材２の長手方向両端の小口部においては目板４と同一断面形状を有する小口キャップを目板４に代えて使用するとともに、最終的にパネル３が取付溝２１の長手方向に移動することを小口キャップによって規制している。
【００１６】
以上本発明の実施の一形態について詳述したが、本発明は上述した実施の形態に限らず、本発明の趣旨を逸脱しない範囲で種々の変更が可能である。例えば、目板の間に配置されるパネルの数は1個だけに限られるものでなく、複数個のパネルを配置してあっても良く、また、パネルと目板とを交互に規則正しく、或いはランダムに配置してあっても良い。また、配置するパネルは１種類のみに限定されるものでなく、異なる種類のパネルを目板の間に配置してあってもよい。パネルや目板を配置する位置や個数を適宜組み合せることによって多様なデザイン演出が可能となり、また、太陽電池付きパネルを適用する場合には目板或いはその他のパネルとの組み合せ個数を調節することによって発電能力を容易に調節することも可能である。上記した実施の形態ではベース材の長手方向端部では小口キャップが目板を兼ねる構造を示したが、小口キャップがベース材の長手方向への目板の移動を規制している構造とすることも可能である。また、目板の重合部はパネルの段部の外側から重合する形態を例示したが、必ずしも外側から重合するものでなくてもよい。
【００１７】
【発明の効果】
以上説明してきたように、本発明の請求項１に係わるパネル構造体では、上記した構成としたから、パネルおよび目板の製作および取り付けが容易となるとともに、目板のスライド移動のみの簡単な操作でパネル、目板および押縁を取り付け溝内の所定位置に固定あるいは取り外しすることができ、パネル交換などのメンテナンス時にも目板を取付溝内に係合したままで必要箇所のパネルのみを交換メンテナンスすることが容易となり、取り付け作業性およびメンテナンス作業性が非常に優れており、製作、施工、メンテナンスが安価に行なえるという絶大な効果が得られる。また、パネルや目板の配置位置、個数を適宜設定することが可能となり、多様なデザインの演出を可能にするとともに、例えば太陽電池付きパネルを適用する場合には目板およびパネルの取付個数を調整することによって発電能力の調整が容易に行えるという効果も得られる。
【図面の簡単な説明】
【図１】第一実施形態のパネル構造体の要部拡大断面図であり、図７のＢ−Ｂ線断面によって目板部の構造を表わしている。
【図２】第一実施形態のパネル構造体の要部拡大断面図であり、図７のＣ−Ｃ線断面によってパネル部の構造を表わしている。
【図３】本発明のパネル構造体を高欄に適用した第一実施形態の正面図および平面図である。
【図４】パネルの取り付け説明図である。
【図５】押縁の取り付け説明図である。
【図６】目板の取り付け説明図である。
【図７】図３の平面図のＡ部拡大図である。
【図８】図７のＤ−Ｄ線断面図である。
【符号の説明】
１      パネル構造体
２      ベース材
２１    取付溝
２２    一端側係合部
２３    他端側係合部
２４    底壁
３      パネル
３２    一端部
３３    他端部
３４    段部
４      目板
４２    一端部
４３    他端部
４４    重合部
４５    押え受け
５      押縁
５２    係合部
５３    パネル押え部
５４    目板押え部
【図１】
0003940993.tif 000002
【図２】
0003940993.tif 000003
【図３】
0003940993.tif 000004
【図４】
0003940993.tif 000005
【図５】
0003940993.tif 000006
【図６】
0003940993.tif 000007
【図７】
0003940993.tif 000008
【図８】
0003940993.tif 000009